(57)【特許請求の範囲】
【請求項１】
装置本体の内部が開放される開放位置と、前記装置本体の内部が閉塞される閉塞位置との間で移動可能に支持された開閉部材と、
前記装置本体及び前記開閉部材の一方に設けられた被係合部と、
外周部に円弧形状部を有し前記被係合部に係合する係合部と前記開閉部材が開放位置から閉塞位置に移動する際に前記被係合部に接触して前記係合部を前記被係合部に誘導するレバー部とを有して、前記装置本体及び前記開閉部材の他方に設けられた正逆回転可能な係合部材と、
前記係合部材を、前記被係合部に引き込む固定方向と前記被係合部から離れる解放方向の２方向に付勢する付勢方向が変更される付勢部材と、を備え、
前記係合部材が前記解放方向に回転した状態で前記開閉部材が開放位置から閉塞位置に移動する際に、前記レバー部が前記被係合部に接触して前記固定方向に回転して前記被係合部に係合し、
前記係合部材が前記固定方向に回転した状態で前記開閉部材が開放位置から閉塞位置に移動する際に、前記円弧形状部が前記被係合部に接触しながら解放方向に回転した後、前記レバー部が前記被係合部に接触して前記固定方向に回転して前記被係合部に係合する、
ことを特徴とする画像形成装置。
【請求項２】
装置本体の内部が開放される開放位置と、前記装置本体の内部が閉塞される閉塞位置との間で移動可能に支持された開閉部材と、
前記装置本体及び前記開閉部材の一方に設けられた被係合部と、
前記被係合部に係合する係合部と前記開閉部材が開放位置から閉塞位置に移動する際に前記被係合部に接触して前記係合部を前記被係合部に誘導するレバー部とを有して、前記装置本体及び前記開閉部材の他方に設けられた正逆回転可能な係合部材と、
前記係合部材を、前記被係合部に引き込む固定方向と前記被係合部から離れる解放方向の２方向に付勢する付勢方向が変更される付勢部材と、を備え、
前記被係合部は、前記係合部材の前記係合部を受ける被係合面に切り欠き部を有し、前記付勢部材は一端が前記開閉部材に固定され他端が前記係合部材に固定されて前記係合部材が前記固定方向に回転した際に前記切り欠き部に収容される、
ことを特徴とする画像形成装置。
【請求項３】
前記付勢部材は、一端が前記開閉部材に固定され他端が前記係合部材の外側一面に固定されている、
ことを特徴とする請求項１又は２に記載の画像形成装置。
【発明の詳細な説明】
【技術分野】
【０００１】
本発明は、画像形成装置に関する。
【背景技術】
【０００２】
シートを収納する給紙カセットを装置本体に設けられた収容部に着脱可能に装着する画像形成装置において、給紙カセットに設けられた係止部と、収容部に設けられ、係止部を係止する係止溝を備え、係止部を係止溝に係止しながら待機位置から引き込み位置まで移動して給紙カセットを引き込むための引き込み部材と、給紙カセットを装着する際に、引き込み部材が引き込み位置にある場合には、給紙カセットの装着に伴って係止溝に係止部を係止させるよう係止部を案内する係止案内部を設けた画像形成装置が知られている（特許文献１）。
【０００３】
装置本体と装置本体に着脱可能に装着される着脱部材と、装置本体に支軸を介して正逆回転可能に支持され、着脱部材が装置本体に装着された状態を固定する固定レバーと、着脱部材に設けられ、着脱部材の装置本体への装着時に固定レバーが正転して連結し、かつ、着脱部材の装置本体からの離脱時に固定レバーが逆転して外れる被連結部と、固定レバーを、被連結部に連結する固定方向と、この固定方向から反転した被連結部から外れる解放方向の２方向に付勢する弾性部材と、着脱部材の装置本体に対する装着時および／または離脱時に、着脱部材の動作に伴う固定レバーの回転を補助する回転補助手段と、を具備する着脱機構も知られている（特許文献２）。
【先行技術文献】
【特許文献】
【０００４】
【特許文献１】特開２００８−２５４８４１号公報
【特許文献２】特開２０１１−５３３３５号公報
【発明の概要】
【発明が解決しようとする課題】
【０００５】
本発明は、開閉部材を装置本体に係合する操作力を軽減しつつ装置本体に確実に係合させることができる画像形成装置を提供することを目的とする。
【課題を解決するための手段】
【０００６】
前記課題を解決するために、請求項１に記載の画像形成装置は、
装置本体の内部が開放される開放位置と、前記装置本体の内部が閉塞される閉塞位置との間で移動可能に支持された開閉部材と、
前記装置本体及び前記開閉部材の一方に設けられた被係合部と、
外周部に円弧形状部を有し前記被係合部に係合する係合部と前記開閉部材が開放位置から閉塞位置に移動する際に前記被係合部に接触して前記係合部を前記被係合部に誘導するレバー部とを有して、前記装置本体及び前記開閉部材の他方に設けられた正逆回転可能な係合部材と、
前記係合部材を、前記被係合部に引き込む固定方向と前記被係合部から離れる解放方向の２方向に付勢する付勢方向が変更される付勢部材と、を備え、
前記係合部材が前記解放方向に回転した状態で前記開閉部材が開放位置から閉塞位置に移動する際に、前記レバー部が前記被係合部に接触して前記固定方向に回転して前記被係合部に係合し、
前記係合部材が前記固定方向に回転した状態で前記開閉部材が開放位置から閉塞位置に移動する際に、前記円弧形状部が前記被係合部に接触しながら解放方向に回転した後、前記レバー部が前記被係合部に接触して前記固定方向に回転する、
ことを特徴とする。
【０００８】
前記課題を解決するために、請求項２に記載の画像形成装置は、
装置本体の内部が開放される開放位置と、前記装置本体の内部が閉塞される閉塞位置との間で移動可能に支持された開閉部材と、
前記装置本体及び前記開閉部材の一方に設けられた被係合部と、
前記被係合部に係合する係合部と前記開閉部材が開放位置から閉塞位置に移動する際に前記被係合部に接触して前記係合部を前記被係合部に誘導するレバー部とを有して、前記装置本体及び前記開閉部材の他方に設けられた正逆回転可能な係合部材と、
前記係合部材を、前記被係合部に引き込む固定方向と前記被係合部から離れる解放方向の２方向に付勢する付勢方向が変更される付勢部材と、を備え、
前記被係合部は、前記係合部材の前記係合部を受ける被係合面に切り欠き部を有し、前記付勢部材は一端が前記開閉部材に固定され他端が前記係合部材に固定されて前記係合部材が前記固定方向に回転した際に前記切り欠き部に収容される、
ことを特徴とする。
【０００９】
請求項３記載の発明は、請求項１又は２に記載の画像形成装置において、
前記付勢部材は、一端が前記開閉部材に固定され他端が前記係合部材の外側一面に固定されている、
ことを特徴とする。
【発明の効果】
【００１１】
請求項１に記載の発明によれば、開閉部材を装置本体に係合する操作力を軽減しつつ係合部材の状態に拘わらず装置本体に確実に係合させることができる。
請求項２及び３に記載の発明によれば、係合部材が回転する際の付勢部材の伸縮を妨げることがなく開閉部材の開閉操作を行うことができる。
【図面の簡単な説明】
【００１２】
【図１】画像形成装置１の内部構成を示す断面模式図である。
【図２】画像形成装置１の開閉部材１００が閉塞位置で装置本体に係合した状態を内部構成部材を省略して示す斜視図である。
【図３】画像形成装置１の開閉部材１００が開放位置に位置した状態を内部構成部材を省略して示す斜視図である。
【図４】（ａ）は係合部材１２０が装置本体の被係合部１４０に係合した状態を示す部分斜視図、（ｂ）、（ｃ）は係合部材１２０と被係合部１４０との係合状態を示す部分斜視図である。
【図５】（ａ）、（ｂ）は支持部材１１０、（ｃ）、（ｄ）は係合部材１２０、（ｅ）、（ｆ）は被係合部１４０，それぞれの斜視図である。
【図６】（ａ）は係合部材１２０の初期位置、（ｂ）は引き込み位置を示す断面模式図である。
【図７】開閉部材１００が開放位置から閉塞位置に移動する際に係合部材１２０が被係合部１４０に係合する過程を示す模式図である。
【図８】係合部材１２０が固定方向に回転した状態で開閉部材１００が開放位置から閉塞位置に移動する際に係合部材１２０が被係合部１４０に係合する過程を示す模式図である。
【図９】変形例に係る係合部材１２０Ａの被係合部１４０Ａとの係合状態を示す部分斜視図である。
【発明を実施するための形態】
【００１３】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
尚、以後の説明の理解を容易にするために、図面において、前後方向をＸ軸方向、左右方向をＹ軸方向、上下方向をＺ軸方向とする。
【００１４】
（１）画像形成装置の全体構成及び動作
図１は本実施形態に係る画像形成装置１の内部構成を示す縦断面模式図である。
以下、図面を参照しながら、画像形成装置１の全体構成及び動作を説明する。
【００１５】
画像形成装置１は、制御装置１０、用紙搬送装置２０、感光体ユニット３０、現像装置４０、トナーカートリッジ５０、露光装置６０、転写装置７０、定着装置８０を備えて構成されている。
画像形成装置１の前面には、消耗品等を交換する場合に、画像形成装置１内部を前方（−Ｘ方向）へ開放する開閉部材１００が回転可能に支持されている。
画像形成装置１の後面には、紙詰まりや内部の点検等をする場合に、画像形成装置１内部を開放する後カバー１ｂが回転可能に支持されている。
画像形成装置１の上面（Ｚ方向）には、画像が記録された用紙が排出・収容される排出トレイを兼ねた上カバー１ｃが形成されている。
【００１６】
制御装置１０は、画像形成装置１の動作を制御する画像形成装置制御部１１と、印刷処理要求に応じた画像データを準備するコントローラ部１２、露光装置６０の光源の点灯を制御する露光制御部１３、電源装置１４等を有する。電源装置１４は、後述する帯電ローラ３２、現像ローラ４２、転写ローラ７２等に電圧を印加するとともに、露光装置６０に電力を供給する。
【００１７】
コントローラ部１２は、画像読み取り装置（不図示）から入力される画像データや外部の情報送信装置（例えばパーソナルコンピュータ等）から入力された印刷情報を潜像形成用の画像情報に変換して予め設定されたタイミングで、駆動信号を露光制御部１３に出力する。
【００１８】
画像形成装置１の底部には、用紙搬送装置２０が設けられている。用紙搬送装置２０は、用紙カセット２１を備え、用紙カセット２１の上面には多数の記録媒体としての用紙Ｐが積載され、規制板（不図示）で幅方向位置が決められた用紙Ｐは、上側から１枚ずつ用紙引き出し部２２により後方（Ｘ方向）に引き出された後、レジストローラ対２３の接触部まで搬送される。
【００１９】
感光体ユニット３０は、用紙搬送装置２０の上方に設けられ、ユニットハウジング３５内に回転駆動する感光体ドラム３１を備えている。感光体ドラム３１の回転方向に沿って、帯電ローラ３２、現像装置４０、転写ローラ７２、クリーニングブレード３４が配置されている。帯電ローラ３２には、帯電ローラ３２の表面をクリーニングするクリーニングローラ３３が対向、接触して配置されている。
【００２０】
現像装置４０は、内部に現像剤が収容される現像ハウジング４１を有する。現像ハウジング４１内には、感光体ドラム３１に対向して配置された現像ローラ４２と、この現像ローラ４２の背面側斜め下方には現像剤を現像ローラ４２側へ撹拌搬送する一対のオーガ４４、４５が配設されている。現像ローラ４２には、現像剤の層厚を規制する層規制ロール４６が近接配置されている。
【００２１】
感光体ユニット３０と現像装置４０は、プロセスカートリッジ９０として一体的に構成されており、プロセスカートリッジ９０は、画像形成装置１本体に着脱自在となっている。このプロセスカートリッジ９０は、図１に示すように、感光体ドラム３１が寿命に達した場合など、画像形成装置１本体に開閉自在に設けられた開閉部材１００を開閉することにより交換することができる。
プロセスカートリッジ９０には、感光体ユニット３０が装着された端部と反対側の端部にトナーカートリッジ５０が着脱自在に装着されている。プロセスカートリッジ９０は、画像形成装置１本体に装着された状態でトナーカートリッジ５０の着脱が可能となっている。
【００２２】
露光装置６０は、光源として用いられるレーザビーム出射手段６１と、レーザビーム出射手段６１からのレーザビームＬＢを偏向反射させる回転多面鏡（ポリゴンミラー）６２と、を備え、形成される画像データに応じて変調されたレーザビームＬＢで感光体ドラム３１の表面を走査する。
【００２３】
回転する感光体ドラム３１の表面は、帯電ローラ３２により帯電され、露光装置６０により静電潜像が形成される。感光体ドラム３１上に形成された静電潜像は現像ローラ４２によりトナー像として現像される。
【００２４】
転写装置７０は、転写ローラ７２を感光体ドラム３１に切離可能に支持する後カバー１ｂと、感光体ドラム３１とニップを形成する転写ローラ７２とから構成されている。転写ローラ７２には、画像形成装置制御部１１により制御される電源装置１４から転写電圧が印加され、感光体ドラム３１と転写ローラ７２間を通過する用紙Ｐに感光体ドラム３１上のトナー像を転写する。
【００２５】
感光体ドラム３１表面の残留トナーは、クリーニングブレード３４により除去され、感光体ドラム３１を支持するユニットハウジング３５内に回収される。その後、感光体ドラム３１の表面は、帯電ローラ３２により再帯電される。尚、クリーニングブレード３４で除去しきれず帯電ローラ３２に付着した残留物は、帯電ローラ３２に接触して回転するクリーニングローラ３３の表面に捕捉された後、再度帯電ローラ３２を経由して感光体ドラム３１上へ排出される。
【００２６】
定着装置８０は一対の加熱モジュール８１と加圧モジュール８２を有し、加熱モジュール８１と加圧モジュール８２の圧接領域によって定着ニップ部（定着領域）が形成される。
転写ローラ７２によってトナー像が転写された用紙Ｐは、トナー像が未定着の状態で搬送ガイド７４を経由して定着装置８０に搬送される。定着装置８０に搬送された用紙Ｐは、一対の加熱モジュール８１と加圧モジュール８２により、圧着と加熱の作用でトナー像が定着される。定着トナー像が形成された用紙Ｐは、排出ローラ対８４から画像形成装置１上面の上カバー１ｃに排出される。
【００２７】
（２）開閉構造
図２は画像形成装置１の開閉部材１００が閉塞位置で装置本体に係合した状態を内部構成部材を省略して示す斜視図、図３は画像形成装置１の開閉部材１００が開放位置に位置した状態を内部構成部材を省略して示す斜視図、図４（ａ）は係合部材１２０が装置本体の被係合部１４０に係合した状態を示す部分斜視図、（ｂ）、（ｃ）は係合部材１２０と被係合部１４０との係合状態を示す部分斜視図、図５（ａ）、（ｂ）は支持部材１１０、（ｃ）、（ｄ）は係合部材１２０、（ｅ）、（ｆ）は被係合部１４０、それぞれの斜視図、図６（ａ）は係合部材１２０の開放位置、（ｂ）は固定位置を示す断面模式図である。
以下、図面を参照しながら本実施形態に係る画像形成装置１の開閉構造について説明する。
【００２８】
（２．１）開閉構造の全体構成
図１及び図３において、画像形成装置１の左側に回転可能に支持された開閉部材１００は、装置本体の内部が開放される開放位置と、装置本体の内部が閉塞される閉塞位置との間で移動可能に支持されている。
開閉部材１００の下端部には、回転中心１００ａが形成されており、開閉部材１００は回転中心１００ａで装置本体に回転可能に支持されている。
【００２９】
開閉部材１００の内面側には、係合部材１２０が支持部材１１０で回転可能に支持され、装置本体側には被係合部１４０が固定されている。
開閉部材１００を開放位置から閉鎖位置へ回転移動する際に、係合部材１２０が装置本体側の被係合部１４０に回転しながら係合して開閉部材１００は装置本体を閉塞する。
装置本体を開放する場合は、開閉部材１００を開放位置へ回転移動するように引き操作することで係合部材１２０と装置本体側の被係合部１４０との係合が解除される。
尚、本実施形態においては、係合部材１２０は開閉部材１００に設けられ、被係合部１４０は装置本体側に設けられているが、これに限定されず、係合部材１２０を装置本体側に設け、被係合部１４０を開閉部材１００に設けてもよい。
【００３０】
（２．２）支持部材
支持部材１１０は、図５（ａ）、（ｂ）に示すように、全体が箱型形状で係合部材１２０の回転軸部１２３を回転可能に支持する軸受部１１１を有している。また、内面側には付勢部材１３０の一端が取り付けられるフック部１１２が形成されている。
支持部材１１０は、開閉部材１００の内面側に固定され係合部材１２０を回転可能に支持する。
【００３１】
（２．３）係合部材
係合部材１２０は、図５（ｃ）、（ｄ）に示すように、被係合部１４０に係合する係合部１２１と、開閉部材１００が開放位置から閉塞位置に移動する際に被係合部１４０に接触して係合部１２１を被係合部１４０に誘導するレバー部１２２と、回転軸部１２３とを有し全体が鉤状をなしている。
係合部１２１の回転軸部１２３から見た外側には円弧形状部１２５と斜面部１２６が形成されている。また、内面側には付勢部材１３０の他端が取り付けられるフック部１２４が形成されている。
【００３２】
係合部材１２０は回転軸部１２３が支持部材１１０の軸受部１１１に回転支持された状態で付勢部材１３０により支持部材１１０との間で付勢されている。その結果、係合部材１２０は開閉部材１００の内面側に回転可能に支持される。
【００３３】
（２．４）被係合部
被係合部１４０は、図５（ｅ）、（ｆ）に示すように係合部材１２０の係合部１２１を受ける被係合面１４１を有し、被係合面１４１の中央部には切り欠き部１４２が設けられ、一端が支持部材１１０に他端が係合部材１２０に固定された付勢部材１３０は係合部材１２０が固定方向に回転した際に切り欠き部１４２に収容される。
【００３４】
このように構成される係合部材１２０は、図６（ａ）に示すように係合部材１２０を被係合部１４０に引き込む固定方向（固定位置）と、図６（ｂ）に示すように固定方向とは反転し被係合部１４０から離れる解放方向（解放位置）の２方向に付勢する付勢方向が変更される付勢部材１３０で、回転軸部１２３を回転中心として正逆回転可能に付勢されながら開閉部材１００に支持部材１１０を介して回転可能に支持されている。
【００３５】
具体的には、付勢部材１３０の一端が取り付けられた支持部材１１０のフック部１１２と係合部材１２０の回転軸部１２３を結んで仮想した軸線Ｃ１に対して、付勢部材１３０の他端が取り付けられた係合部材１２０のフック部１２４が被係合部１４０側に位置している場合には、係合部材１２０は付勢部材１３０の付勢力で固定位置へ引き込まれている。
一方、付勢部材１３０の他端が取り付けられた係合部材１２０のフック部１２４が軸線Ｃ１に対して左側に位置している場合には、係合部材１２０は付勢部材１３０の付勢力で固定方向とは反転して開放位置へ復帰する。
【００３６】
「変形例」
図９には変形例に係る係合部材１２０Ａの被係合部１４０Ａとの係合状態を示す。
係合部材１２０Ａは、被係合部１４０Ａに係合する係合部１２１Ａと、開閉部材１００が開放位置から閉塞位置に移動する際に被係合部１４０Ａに接触して係合部１２１Ａを被係合部１４０Ａに誘導するレバー部１２２Ａと、回転軸部１２３Ａとを有し全体が鉤状をなしている。
【００３７】
係合部１２１Ａの回転軸部１２３Ａから見た外側には円弧形状部１２５Ａと斜面部１２６Ａが形成されている。また、外面側には付勢部材１３０の他端が取り付けられるフック部１２４Ａが形成されている。
【００３８】
支持部材１１０Ａは、図９（ａ）、（ｂ）に示すように、全体が箱型形状で係合部材１２０Ａの回転軸部１２３Ａを回転可能に支持する軸受部１１１Ａを有している。また、外面側には付勢部材１３０の一端が取り付けられるフック部１１２Ａが形成されている。
支持部材１１０Ａは、開閉部材１００の内面側に固定され係合部材１２０Ａを回転可能に支持する。
【００３９】
変形例に係る支持部材１１０Ａと係合部材１２０Ａによれば、係合部材１２０Ａを被係合部１４０Ａに引き込む固定方向と、固定方向とは反転し被係合部１４０Ａから離れる解放方向の２方向に付勢する付勢部材１３０を外側から容易に取り付けることができる。
【００４０】
（３）開閉部材の開閉動作
図７は開閉部材１００が開放位置から閉塞位置に移動する際に係合部材１２０が被係合部１４０に係合する過程を示す模式図、図８は係合部材１２０が固定方向に回転した状態で開閉部材１００が開放位置から閉塞位置に移動する際に係合部材１２０が被係合部１４０に係合する過程を示す模式図である。
以下、図面を参照しながら本実施形態に係る開閉部材１００の開閉動作について説明する。
【００４１】
（３．１）係合部材１２０が初期位置にある場合
図７（ａ）に示すように、開閉部材１００が開放位置にあるときは、係合部材１２０は、付勢部材１３０の付勢力で解放方向に位置している（解放位置）。かかる状態から開閉部材１００に対して閉操作を行った場合には、まず開閉部材１００の回転移動に伴って係合部材１２０のレバー部１２２が被係合部１４０の前面１４３に接触する（図７（ｂ）参照）。
【００４２】
そして、更に開閉部材１００の閉操作を続行してゆくと、係合部材１２０のレバー部１２２が被係合部１４０の前面１４３から回転力を受けて係合部材１２０は、解放位置から被係合部１４０側へ回転し、係合部材１２０のフック部１２４が軸線Ｃ１上に達する（中立位置：図７（ｃ）参照）。
【００４３】
さらに開閉部材１００を回転移動させると係合部材１２０は付勢部材１３０の付勢力で被係合部１４０の被係合面１４１に向って固定位置に引き込まれ被係合部１４０に係合して開閉部材１００は閉鎖位置に位置する（図７（ｄ）参照）。
【００４４】
本実施形態の開閉構造によれば、開閉部材１００の閉操作に伴ってレバー部１２２が本体装置側の被係合部１４０の一面に接触すると被係合部１４０側へ回転し、係合部材１２０のフック部１２４が中立位置を越えると付勢部材１３０の付勢力で被係合部１４０の被係合面１４１側へ引き込まれ、閉操作の操作力が低減されて確実に係合される。
【００４５】
装置本体の内部を露出する場合は、開閉部材１００を開放位置へ回転移動するように引き操作するだけで、係合部材１２０は固定方向とは反転し被係合部１４０から離れる解放方向へ回転する。そして、係合部材１２０は、係合部材１２０のフック部１２４が中立位置を越えると付勢部材１３０の付勢力で解放位置へ引き戻され係合部材１２０と装置本体側の被係合部１４０との係合が解除される。
【００４６】
（３．２）係合部材１２０が固定位置にある場合
図８（ａ）に示すように、係合部材１２０が、付勢部材１３０の付勢力で固定方向に位置している（引き込み位置）状態から、開閉部材１００に対して閉操作を行った場合には、まず開閉部材１００の回転移動に伴って係合部材１２０の斜面部１２６が被係合部１４０の斜面部１４４に接触する（図８（ｂ）参照）。
【００４７】
そして、更に開閉部材１００の閉操作を続行してゆくと、係合部材１２０の円弧形状部１２５が被係合部１４０の斜面部１４４を摺動しながら回転力を受けて係合部材１２０は、固定方向とは反転して回転し、係合部材１２０のフック部１２４が軸線Ｃ１上に達する（中立位置：図８（ｃ）参照）。
さらに開閉部材１００を回転移動させると、係合部材１２０は付勢部材１３０の付勢力で解放位置に復帰する（図８（ｄ）参照）。  
【００４８】
さらに開閉部材１００の閉操作を続行してゆくと、係合部材１２０のレバー部１２２が被係合部１４０の前面１４３に接触して（図８（ｅ）参照）被係合部１４０の前面１４３から回転力を受けて、係合部材１２０は解放位置から被係合部１４０側へ回転し、係合部材１２０のフック部１２４が軸線Ｃ１上に達する（中立位置：図８（ｆ）参照）。
【００４９】
そして開閉部材１００を回転移動させると係合部材１２０は付勢部材１３０の付勢力で被係合部１４０の被係合面１４１に向って引き込まれ被係合部１４０に係合して開閉部材１００は閉鎖位置に位置する（図８（ｇ）参照）。
【００５０】
本実施形態の開閉構造によれば、係合部材１２０が固定位置に位置している場合であっても、開閉部材１００の閉操作に伴って係合部材１２０の円弧形状部１２５が被係合部１４０の前面１４３に接触して摺動しながら回転力を受けて、固定方向とは反転して回転し解放位置に復帰することができる。
そのために、係合部材１２０の状態に拘わらず開閉部材１００を装置本体に確実に係合させることができる。
【符号の説明】
【００５１】
１・・・画像形成装置
１０・・・制御装置
２０・・・給紙装置
３０・・・感光体ユニット
４０・・・現像ユニット
５０・・・転写装置
６０・・・定着装置
１００・・・開閉部材
１１０、１１０Ａ・・・支持部材
１１１・・・軸受部
１１２・・・フック部  
１２０、１２０Ａ・・・係合部材
１２１・・・係合部
１２２・・・レバー部
１２３・・・回転軸部
１２４・・・フック部
１２５・・・円弧形状部
１２６・・・斜面部
１３０・・・付勢部材
１４０、１４０Ａ・・・被係合部
【図１】
0006677014.tif 000002
【図２】
0006677014.tif 000003
【図３】
0006677014.tif 000004
【図４】
0006677014.tif 000005
【図５】
0006677014.tif 000006
【図６】
0006677014.tif 000007
【図７】
0006677014.tif 000008
【図８】
0006677014.tif 000009
【図９】
0006677014.tif 000010